(57)【要約】【課題】  洗い場側防水パンと浴槽側防水パンの接続作業を、手間をかけずに行うことができ、施工が楽になる分割した防水パンの接続構造を提供する。【解決手段】  分割した防水パンの接続構造において、接続時に下側となる洗い場側防水パン１の接続片１ｃの裏側には、ナット５を挟み込むことのできる挟み込み空間Ｓを形成する回り止めリブ３ａ，３ｂが設けられ、このリブ３ａ，３ｂには、ナット５の落下を防ぐ略コの字状の仮固定部材６を嵌め込み可能に構成されている。【選択図】  図２
2005068786.tif 000002
【特許請求の範囲】
【請求項１】
分割した防水パンの接続構造において、接続時に下側となる一方側の防水パンの接続部裏側には、ナットまたはボルトの頭部を挟み込むことのできる回り止めリブを設け、該リブには、前記ナットまたはボルトの落下を防ぐ略コの字状の仮固定部材を嵌め込み可能に構成したことを特徴とする分割した防水パンの接続構造。
【請求項２】
前記仮固定部材には、上下の片にボルトが通る貫通孔が形成されていることを特徴とする請求項１に記載の分割した防水パンの接続構造。
【請求項３】
前記仮固定部材には、上側の片のみにボルトが通る貫通孔が形成されていることを特徴とする請求項１に記載の分割した防水パンの接続構造。
【発明の詳細な説明】
【技術分野】
【０００１】
本発明は、分割した防水パンの接続構造に関するものである。
【背景技術】
【０００２】
従来、洗い場側と浴槽側に分割された防水パンの接続部には、例えば図４に示すような接続構造を採用していた。
図４において、洗い場側防水パン１と、浴槽側防水パン４を接続するに際し、洗い場側防水パン１側には、連結ボルト５１をナット５２で固定して、予め連結ボルト５１を立ち上げておき、この連結ボルト５１を、浴槽側防水パン４にワッシャー５３及びゴムパッキン５４を介して通し、浴槽側防水パン４上より、ゴムパッキン５４，平ワッシャー５５を介在させて、連結ボルト５１の上端に袋ナット５６を締め付けて、洗い場側防水パン１と浴槽側防水パン４を接続していた。
【特許文献１】特開平１１−２１９６３号公報
【発明の開示】
【発明が解決しようとする課題】
【０００３】
上記従来のような接続構造では、予め連結ボルト５１をナット５２で固定しておく必要があり、手間がかかり、接続作業が面倒であるという問題点があった。
【課題を解決するための手段】
【０００４】
本発明は上記従来の問題点に鑑み案出したものであって、施工が楽に行える分割した防水パンの接続構造を提供せんとするものであり、請求項１は、分割した防水パンの接続構造において、接続時に下側となる一方側の防水パンの接続部裏側には、ナットまたはボルトの頭部を挟み込むことのできる回り止めリブを設け、該リブには、前記ナットまたはボルトの落下を防ぐ略コの字状の仮固定部材を嵌め込み可能に構成したことである。
【０００５】
また、請求項２は、前記仮固定部材には、上下の片にボルトが通る貫通孔が形成されていることである。
また、請求項３は、前記仮固定部材には、上側の片のみにボルトが通る貫通孔が形成されていることである。
【発明の効果】
【０００６】
本発明では、ナットまたはボルトの頭部を回り止めリブに挟み込み、仮固定部材で落下を防いで、一方側の防水パンに良好にナットまたはボルトを固定しておくことができ、他方側の防水パンを重ね合わせて容易に接続作業を行うことができ、従来のように予め連結ボルトをナットで固定しておく必要がなく、手間がかからず、施工が楽なものとなる。
【０００７】
また、仮固定部材には、上下の片にボルトが通る貫通孔が形成されていることにより、仮固定部材で良好にナットを回り止めリブに固定することができ、ナットに対し、上方よりボルトを締め付けて、分割した防水パンを楽に接続することができるものとなる。
【０００８】
また、仮固定部材には、上側の片のみにボルトが通る貫通孔が形成されていることにより、仮固定部材でボルトの頭部を回り止めリブに良好に嵌め込んで固定することができるものとなる。
【実施例】
【０００９】
以下、本発明の実施例を図面に基づいて説明する。
図１は、洗い場側防水パン１と、分割された浴槽側防水パン４を接続した状態の概略構成図である。
先ず、洗い場側防水パン１を据え付けておき、この洗い場側防水パン１の左端の接続片１ｃ上に、浴槽側防水パン４の接続片４ａを重ね合わせ、ボルト１０を上方側からナット５に締め付けて接続できるものである。
【００１０】
図２は、洗い場側防水パン１に、予めナット５を固定しておくことのできる構成部材の斜視構成図である。
図２において、洗い場側防水パン１には、上方へ立ち上げて堤防部１ａが一体形成され、堤防部１ａの左端側には連続して、凹み状に凹部１ｂが形成されており、この凹部１ｂの左端には、略水平状に連続して接続片１ｃが形成されている。
【００１１】
なお、凹部１ｂ内には、発泡シール材１１を嵌め込むことができるものである。
接続片１ｃの下面には、一対の回り止めリブ３ａ，３ｂが、間隔をおいて平行状に垂設され、一対の回り止めリブ３ａ，３ｂ間で、下方開放の挟み込み空間Ｓが形成されている。また、この挟み込み空間Ｓの上面には、上下に貫通してボルト通し孔２が形成されている。
挟み込み空間Ｓ内には、外側からナット５を嵌め込むことができ、ナット５が嵌め込まれた状態では、一対の回り止めリブ３ａ，３ｂにより、ナット５が水平面内で良好に回り止めされて挟み込まれた状態となるように構成されている。
【００１２】
ナット５の落下を防ぐために、外側から嵌め込まれる仮固定部材６は、略コの字状に形成されており、上引掛片６ａと、下方の下載せ片６ｂが、それぞれ水平状に平行に配置され、上引掛片６ａと下載せ片６ｂが連結片６ｃで連結されており、また、上引掛片６ａおよび下載せ片６ｂの先端には、上下に対向状に鉤片６ｄ，６ｅが一体形成されている。
また、上引掛片６ａおよび下載せ片６ｂには、整合した位置に、上下にそれぞれ貫通して上貫通孔７と下貫通孔８が形成されている。
【００１３】
仮固定部材６の下載せ片６ｂ上にナット５を載せ、その状態で、仮固定部材６の上引掛片６ａを、洗い場側防水パンの接続片１ｃの上面に嵌め込み、仮固定部材６の下載せ片６ｂは、一対の回り止めリブ３ａ，３ｂの下端に当接させて、洗い場側防水パンの接続片１ｃに仮固定部材６を嵌め込むことができ、嵌め込んだ状態では、上引掛片６ａの鉤片６ｄが凹部１ｂ側へ回り込んで、強固に仮固定部材６が接続片１ｃに固定されるものである。
この状態では、ナット５は良好に挟み込み空間Ｓ内に保持された状態となっている。
【００１４】
この状態で、仮固定部材６の上引掛片６ａ上に、浴槽側防水パン４の接続片４ａを載せ、その状態で、接続片４ａの上方より、ワッシャー９を介在させてボルト１０を、接続片４ａを通して下方へ垂下させることができ、ボルト１０は、洗い場側防水パンの接続片１ｃのボルト通し孔２を通り、仮固定部材６の上貫通孔７を通って、挟み込み空間Ｓ内に侵入することができ、ボルト１０を良好にナット５に螺合させることができるものとなる。
【００１５】
なお、上方側からボルト１０を手探りでナット５に螺合させる時に、ナット５は挟み込み空間Ｓ内である程度動くことができるために、ナット５に対しボルト１０を上方側から螺合させ易いものとなり、施工が容易なものとなる。
更に、ボルト１０を上方より締め付けることで、強固に洗い場側防水パン１の接続片１ｃと、浴槽側防水パン４の接続片４ａを接続することができ、ボルト１０の下端は、仮固定部材６の下貫通孔８を通り下方側へ突出状態となる。
【００１６】
なお、図３は変更例を示すものである。
図３では、洗い場側防水パン１の形状は図２と全く同じであるが、仮固定部材６の形状が多少異なっており、図３では仮固定部材６は、上引掛片６ａのみに、切り欠き状の貫通切欠孔７ａが形成されており、下載せ片６ｂには貫通孔が設けられていないものである。
図３では、接続片１ｃのボルト通し孔２内に、ボルト１２を下方から通し、ボルト１２の頭部１２ａを挟み込み空間Ｓ内に入れておき、この状態で、横方向より仮固定部材６を接続片１ｃに固定して、ボルト１２の落下を防ぐものである。
【００１７】
即ち、仮固定部材６の上引掛片６ａは接続片１ｃ上に引掛けられ、仮固定部材６の下載せ片６ｂが、一対の回り止めリブ３ａ，３ｂの下端に係合状態となって嵌め込まれ、下載せ片６ｂ上にボルトの頭部１２ａが載った状態で、挟み込み空間Ｓ内に、ボルト１２の頭部１２ａが水平面内で良好に回り止めされて保持されることとなる。
このように、予め仮固定部材６で、ボルト１２を回り止めした状態にして、接続片１ｃに固定しておくことができ、この状態で、浴槽側防水パン４の接続片４ａを仮固定部材６の上引掛片６ａ上に載せて、ボルト１２の上端を接続片４ａより上方に突出させておき、接続片４ａの上方側から、袋ナット５６をボルト１２の上端にワッシャーを介在させて締め付けることで、良好に洗い場側防水パン１と浴槽側防水パン４を接続することができるものとなる。
【００１８】
なお、袋ナット５６を上方側から締め付ける際に、ボルト１２の頭部１２ａは一対の回り止めリブ３ａ，３ｂに挟み込まれて回り止めされているため、片手による締め付け作業で、良好に接続作業を完了することができ、施工が容易なものとなる。
【図面の簡単な説明】
【００１９】
【図１】洗い場と浴槽側に分割された防水パンの接続状態を示す断面構成図である。
【図２】洗い場側防水パンの接続片に、仮固定部材を介しナットを取り付ける分解斜視図である。
【図３】別例を示し、洗い場側防水パンの接続片に、仮固定部材を介しボルトを取り付ける分解斜視図である。
【図４】従来の接続構造を示す縦断面構成図である。
【符号の説明】
【００２０】
１  洗い場側防水パン
１ａ  堤防部
１ｂ  凹部
１ｃ  接続片
２  ボルト通し孔
３ａ，３ｂ  回り止めリブ
４  浴槽側防水パン
４ａ  接続片
５  ナット
６  仮固定部材
６ａ  上引掛片
６ｂ  下載せ片
６ｃ  連結片
６ｄ，６ｅ  鉤片
７  上貫通孔
７ａ  貫通切欠孔
８  下貫通孔
９  ワッシャー
１０  ボルト
１２  ボルト
１２ａ  頭部
Ｓ  挟み込み空間
【図１】
2005068786.tif 000003
【図２】
2005068786.tif 000004
【図３】
2005068786.tif 000005
【図４】
2005068786.tif 000006